(57)【特許請求の範囲】
【請求項１】
フレームと、
前記フレームにその外周部が固定される振動板と、
前記振動板の下面に固定されるボイスコイルと、
前記フレームにその一側が固定されて、弾性を有する第１サスペンション（ｓｕｓｐｅｎｓｉｏｎ）と、
前記第１サスペンションに固定され、受容溝を有するヨーク（ｙｏｋｅ）と、
前記受容溝の底面に固定される第１永久磁石と、
前記第１永久磁石の上面に固定されるプレートと、
前記第１サスペンションから下方に離隔されて位置して、前記フレームにその一側が固定されて、弾性を有する第２サスペンションと、
前記第２サスペンションに固定されつつ、前記第１サスペンションと離隔されて固定される第２磁石と、を含めて構成され、
前記第１サスペンション及び第２サスペンションは、板形状であり、
前記第１サスペンションは、前記第１永久磁石により少なくとも一側面が磁化され、
前記第２サスペンションは、前記第２磁石により少なくとも一側面が磁化されることを特徴とする多機能マイクロスピーカー。
【請求項２】
前記第２磁石は、前記第２サスペンションの下面に固定され、
前記第１サスペンションと前記第２サスペンションは、対向して平行に離隔されることを特徴とする請求項１に記載の多機能マイクロスピーカー。
【請求項３】
前記第１サスペンションと第２サスペンションのうち少なくとも一つは、非磁性体部材とこのような非磁性体部材の少なくとも一側面に磁性体がメッキされたメッキ層で構成されることを特徴とする請求項１に記載の多機能マイクロスピーカー。
【請求項４】
前記第１サスペンションと第２サスペンションの各々は、非磁性体部材とこの非磁性体部材の両側面に磁性体がメッキされたメッキ層で構成されることを特徴とする請求項１に記載の多機能マイクロスピーカー。
【請求項５】
前記非磁性体部材は、非磁性の金属部材であるかまたは高分子弾性部材であることを特徴とする請求項３または４に記載の多機能マイクロスピーカー。
【請求項６】
前記第１サスペンションと第２サスペンションのうち少なくとも一つは、磁性体部材であることを特徴とする請求項１に記載の多機能マイクロスピーカー。
【請求項７】
前記第１永久磁石は、上から下方にＮ極とＳ極が配置される永久磁石であり、
前記第２磁石は、上から下方にＳ極とＮ極が配置される永久磁石であるか、または上から下方にＮ極とＳ極が配置される永久磁石であることを特徴とする請求項１に記載の多機能マイクロスピーカー。
【請求項８】
前記第２磁石は、電磁石（ｅｌｅｃｔｒｏｍａｇｎｅｔ）であることを特徴とする請求項１に記載の多機能マイクロスピーカー。
【請求項９】
フレームと、
前記フレームにその外周部が固定される振動板と、
前記振動板の下面に固定されるボイスコイルと、
前記フレームにその一側が固定されて、弾性を有する第１サスペンション（ｓｕｓｐｅｎｓｉｏｎ）と、
前記第１サスペンションに固定され、受容溝を有するヨーク（ｙｏｋｅ）と、
前記受容溝の底面に固定される第１永久磁石と、
前記第１永久磁石の上面に固定されるプレートと、
前記第１サスペンションから下方に離隔されて位置して、前記フレームにその一側が固定されて、弾性を有する第２サスペンションと、
前記第２サスペンションに固定されつつ、前記第１サスペンション及びヨークと離隔されて固定される第２磁石と、を含めて構成され、
前記第１サスペンション及び第２サスペンションは、板形状であって、各々の外周部が前記フレームに固定され、
前記第１サスペンション及び第２サスペンションは、前記フレームに対して上下方向の動きが容易であるよう少なくとも一部分が貫通されて一側に延長される長孔を少なくとも一つ備えることを特徴とする多機能マイクロスピーカー。
【請求項１０】
前記少なくとも一つの長孔は、前記第１サスペンション及び第２サスペンションの同一の位置に同様の形状に形成されることを特徴とする請求項９に記載の多機能マイクロスピーカー。
【請求項１１】
前記第１サスペンションは、前記第１永久磁石により少なくとも一側面が磁化され、
前記第２サスペンションは、前記第２磁石により少なくとも一側面が磁化されることを特徴とする請求項９に記載の多機能マイクロスピーカー。
【発明の詳細な説明】
【技術分野】
【０００１】
本発明は、多機能マイクロスピーカーに関し、より詳しくは、スピーカー磁気回路を支持する一つのサスペンションと、これと離隔された別途の磁石を固定させた他のサスペンションを備えて、複数のサスペンションの間の一定の空間を維持するようサスペンションの表面を磁化させることで、振動子の不安定振動と制動力を改善した多機能マイクロスピーカーに関する。
【背景技術】
【０００２】
一般的に、スピーカーは、電気的信号を音声信号に転換する装置である。マイクロスピーカーは、主に、小型の音響機器、例えば、携帯電話、ノート型パソコン、ＭＰ３プレーヤー、イヤホンなど、近来に受容が大きく増えている携帯用音響機器のための小型のスピーカーである。
【０００３】
ところで、マイクロスピーカーが採用された近頃の電子製品、特に、携帯電話のような移動通信機器は、振動信号を発生する構成を必ず備えている。すなわち、最近の移動通信機器は、着信音の代わりに頻繁に使用されている振動信号や、画面に直接情報を入力するタッチスクリーン方式において入力状態を確認させる振動信号を発生するための構成を備える。
【０００４】
本発明の対象である多機能マイクロスピーカーは、音響発生のための構成を備えた既存のマイクロスピーカーに振動信号の発生のための構成をさらに備える。多機能マイクロスピーカーは、多機能アクチュエータ（ａｃｔｕａｔｏｒ）もしくは多機能電子音響変換機など多様に呼ばれている。
【０００５】
従来の構成の多機能マイクロスピーカーは、板バネに支持されている振動体を共振させることで振動を得る構造である。このような従来の一般的な多機能マイクロスピーカーは、コーン紙とも呼ばれる振動板がある方の磁気回路にボイスコイルにおいて音声信号用電流が印加されると音響が出力されて、ボイスコイルに振動信号用電流が印加されると振動が発生する方式を採用している。
【０００６】
従来の構成の多機能マイクロスピーカーを図１を参照して説明する。従来の多機能マイクロスピーカー１００は、ケース１１０、音響発生用振動板１０１、ボイスコイル１０２、上下方向にＮ極とＳ極が配置された永久磁石１０４、プレート１０３、ヨーク１０５、ウェイト１０６、上側サスペンション１０７及び下側サスペンション１０８を含めて構成されている。リード線ａ１１４とリード線ｂ１１５を通じてボイスコイル１０２に電流が印加される。
【０００７】
前記ボイスコイル１０２は、振動板の下面にその上端部が固定されており、巻取りされつつ下方に延長されている。プレート１０３は、永久磁石１０４の上面に固定されている。永久磁石１０４は、プレート１０３及びヨーク１０５と共にスピーカー磁気回路を形成する。ウェイト１０６は、永久磁石１０４、プレート１０３及びヨーク１０５と共に振動体を構成する。振動体は、上側サスペンション１０７と下側サスペンション１０８によって前記ケース１１０に弾性支持されている。
【０００８】
このような構成の多機能マイクロスピーカー１００のボイスコイル１０２にリード線ａ１１４とリード線ｂ１１５を通じて電流が印加されると、磁気回路内のボイスコイル１０２に電磁気力が発生することになって、これによって振動板１０１が振動して音響出力が行う。
【０００９】
すなわち、永久磁石１０４のＮ極から出した磁力線は、プレート１０３、ボイスコイル１０２及びヨーク１０５を順に通り過ぎ再び永久磁石１０４のＳ極に向かう磁界を形成する。この時、ボイルコイル１０２に電磁気力が発生すると、磁気回路による磁束と相互作用し、ボイスコイル１０４に固定された振動板１０１が振動されて音響を出力するスピーカー機能を働くことになるものである。
【００１０】
一方、ボイスコイル１０２にリード線ａ１１４とリード線ｂ１１５を通じて低周波の電流が印加されると磁気回路を構成する永久磁石１０４、プレート１０３及びヨーク１０５にさらにウェイト１０６を含む振動体の上下運動を起こして振動が発生することになる。
【００１１】
しかし、上述の通常の構造を有する従来の多機能マイクロスピーカーは、磁気回路を構成している部品らが同時に振動体も構成しているため、様々な問題を有している。すなわち、振動体の動きが振動板の動きと干渉してノイズが発生することになって、上側と下側のサスペンション間の平坦度が一定に維持することが困難で不安定な振動が発生するなどの問題があった。
【００１２】
また、上述の通常の構造以外にも、ボイスコイルを複数個を備える従来技術もあるが、このような従来技術の場合、構造が複雑であり振動体の空間活用度が低くて振動力の向上に限界がある問題があった。
【発明の概要】
【発明が解決しようとする課題】
【００１３】
上述の問題を解決するためのものであって、本発明の目的は、磁気回路とは離隔されて磁気場へ相互接続する別途の振動子を備えて、これらが各々固定されたサスペンションを磁化させることで、サスペンション間の磁気場の干渉を用いて不安定振動と振動子の制動力を改善した多機能マイクロスピーカーを提供することにある。
【課題を解決するための手段】
【００１４】
前記のような目的を達成するために、本発明の多機能マイクロスピーカーは、フレームと、前記フレームにその外周部が固定された振動板と、前記振動板の下面に固定されたボイスコイルと、前記フレームにその一側が固定されて、弾性を有する第１サスペンション（ｓｕｓｐｅｎｓｉｏｎ）と、前記第１サスペンションに固定され、受容溝を有するヨークと、前記受容溝の底面に固定される第１永久磁石と、前記第１永久磁石の上面に固定されるプレートと、前記第１サスペンションから下方に離隔されて位置して、前記フレームにその一側が固定されて、弾性を有する第２サスペンション及び前記第２サスペンションに固定されつつ、前記第１サスペンションと離隔されて固定された第２磁石と、を含めて構成されて、前記第１サスペンション及び第２サスペンションは板形状であって、前記第１サスペンションは前記第１永久磁石により少なくとも一側面が磁化されて、前記第２サスペンションは前記第２磁石により少なくとも一側面が磁化されることを特徴とする。
【００１５】
一方、前記第２磁石は、前記第２サスペンションの下面に固定されて、前記第１サスペンションと前記第２サスペンションは、対向して平行に離隔されることが好ましい。
【００１６】
一方、前記第１サスペンションと第２サスペンションのうち少なくとも一つは、非磁性体部材とこのような非磁性体部材の少なくとも一側面に磁性体がメッキされたメッキ層で構成されることが好ましい。
【００１７】
前記第１サスペンションと第２サスペンションの各々は、非磁性体部材とこのような非磁性体部材の両側面に磁性体がメッキされたメッキ層で構成されることが好ましい。
【００１８】
また、前記非磁性体部材は、非磁性の金属部材であるかまたは高分子弾性部材であることが好ましい。
【００１９】
一方、前記第１サスペンションと第２サスペンションのうち少なくとも一つは、磁性体部材であることが好ましい。
【００２０】
また、前記第１永久磁石は、上から下方にＮ極とＳ極が配置された永久磁石であって、前記第２磁石は、上から下方にＳ極とＮ極が配置された永久磁石であるが、上から下方にＮ極とＳ極が配置された永久磁石であることが好ましい。
【００２１】
一方、前記第２磁石は、電磁石（ｅｌｅｃｔｒｏｍａｇｎｅｔ）であってもよい。
【００２２】
本発明の他の側面による多機能マイクロスピーカーは、フレームと、前記フレームにその外周部が固定された振動板と、前記振動板の下面に固定されたボイスコイルと、前記フレームにその一側が固定されて、弾性を有する第１サスペンションと、前記第１サスペンションに固定され受容溝を有するヨークと、前記受容溝の底面に固定された第１永久磁石と、前記第１永久磁石の上面に固定されたプレートと、前記第１サスペンションから下方に離隔されて位置して、前記フレームにその一側が固定されて、弾性を有する第２サスペンション及び前記第２サスペンションに固定されつつ、前記第１サスペンション及びヨークと離隔されて固定された第２磁石を含めて構成されて、前記第１サスペンション及び第２サスペンションは、すべて板形状であって、各々の外周部が前記フレームに固定されて、前記第１サスペンション及び第２サスペンションは、前記フレームン対し上下方向の動きが容易になるよう少なくとも一部分が貫通され一側に延長された長孔を少なくとも一つ備えることを特徴とする。
【００２３】
一方、前記少なくとも一つの長孔は、前記第１サスペンション及び第２サスペンションの同一の位置に同様の形状に形成されることが好ましい。
【００２４】
また、前記第１サスペンションは、前記第１永久磁石により少なくとも一側面が磁化されて、前記第２サスペンションは前記第２磁石により少なくとも一側面が磁化されることが好ましい。
【発明の効果】
【００２５】
本発明による多機能マイクロスピーカーによれば、音響を発生する振動板と振動を発生する振動子の間の干渉が最小化され、第１サスペンションと第２サスペンションの表面磁化になっているため不安定振動と振動子の制動力が改善されるという効果を得ることができる。
【００２６】
また、スピーカー磁気回路を構成する部分の変位振幅は最小化されて、振動子の変位振幅は最大化されるという効果を得ることができる。
【００２７】
また、スピーカーと振動子の間の相互干渉が最小化されるので、スピーカーと振動子の特性の変更及び改善が用意にできるという効果を得ることができる。
【図面の簡単な説明】
【００２８】
【図１】従来の多機能マイクロスピーカーの概略的な断面図である。
【図２】本発明による一実施形態の多機能マイクロスピーカーの部分斜視図である。
【図３】図２に示す多機能マイクロスピーカーの概略的な分解斜視図である。
【図４】図２に示す多機能マイクロスピーカーの概略的な断面図である。
【図５】第１、２サスペンションを拡大した部分断面図である。
【図６】第１、２サスペンションの平面図である。
【図７】本発明による他の実施形態の多機能マイクロスピーカーの概略的な断面図である。
【発明を実施するための形態】
【００２９】
本発明の一実施形態による多機能マイクロスピーカーを添付の図２〜図６を参照して詳しく説明する。  
図２は、本発明の一実施形態による多機能マイクロスピーカーの部分斜視図であって、図３は、図２に示す多機能マイクロスピーカー１の概略的な分解斜視図であって、図４は、図２に示す多機能マイクロスピーカーの概略的な断面図であって、図５は、第１、２サスペンションの拡大図であり、図６は、第１、２サスペンションを別途に示す平面図である。
【００３０】
本発明の一実施形態による多機能マイクロスピーカー１は、携帯電話のような移動通信端末機や、ＰＭＰのような小型機器に主に採用されるものであって、スピーカーの音響発声機能及び信号としての振動発声機能を共に備えている。
【００３１】
多機能マイクロスピーカー１は、フレーム１０、振動板（ｄｉａｐｈｒａｇｍ）２０、ボイスコイル３０、第１サスペンション４０、ヨーク（ｙｏｋｅ）５０、第１永久磁石６０、プレート７０、第２サスペンション８０及び第２磁石９０を含めて構成されている。
【００３２】
前記フレーム１０は、通常のプラスチックで構成されており、スピーカーの外形を構成し内部に各種の構成部品が固定される。フレーム１０は、上部に上部フレーム１２をされに備える。上部フレーム１２には、蓋部材１４が結合される。蓋部材１４は、便利上に図４にだけ示している。本発明の一実施形態の場合、フレーム１０は、全体的に円筒形状である。
【００３３】
上部フレーム１２と蓋部材１４の間には、振動板２０の外周部が固定される。上部フレーム１２と蓋部材１４及び振動板２０が相互結合された結合体を本体の役割を果たすフレーム１０に結合することで、組立工程が効率よく行われる。
【００３４】
前記振動板２０は、上下に振動しつつ人が聞き取れる音圧を作り出す。振動板２０の外周部は、フレーム１０に上述のように固定される。振動板２０は、通常的に、高分子化合物で製作される。
【００３５】
本発明の一実施形態の振動板２０は、ボイスコイル３０の上端部が結合された境界部分を基に内方に位置した内側部分と外方に位置した外側部分に分ける。内側部分と外側部分は各々ドーム（ｄｏｍｅ）形になっており、境界部分は平らになっている。外側部分は、エッジ（ｅｄｇｅ）とも呼ばれて本発明の一実施形態の場合、音響特性を考慮して櫛形の溝が円周に沿って複数形成されている。一方、振動板は具体的な形状、材質及び厚さにおいて多様な変化が可能である。
【００３６】
前記ボイスコイル３０は、振動板２０の下面に固定される。ボイスコイル３０の上端部は、振動板２０の境界部分の下面に固定されている。ボイスコイル３０は、導線が上向き方向に巻取りされて形成されたものである。ボイスコイル３０は、フレームに備えた端子（図示せず）と電機的に接続されている。ボイスコイル３０は、端子を通じて外部から電流を供給される。
【００３７】
ボイスコイル３０の下部は、プレート７０とヨーク５０の間の空間に位置する。ボイスコイル３０に高周波の電流が流されると、第１永久磁石６０による磁気場と相互関係により、上下方向に運動することになる。これによって、ボイスコイル３０に結合されている振動板２０が振動して音響が発生することになる。
【００３８】
前記第１サスペンション４０は、弾性を有し、フレーム１０にその一側が固定されている。弾性とは、物体に外部から力を加えると体積と模様が変形するが、除荷すれば元の寸法に戻れようとする性質をいい、変形の種類に応じて体積弾性と形状弾性に分ける。本発明の場合、第１サスペンション４０は、主に形状弾性に関するものである。
【００３９】
また、第１サスペンション４０は、板形状であってフレームの形態に対応されるよう円板形象である。第１サスペンション４０は、第１永久磁石６０により少なくとも一側面が磁化されている。
【００４０】
本発明の一実施形態の場合、第１サスペンション４０は、非磁性体である銅（Ｃｕ）系のリン青銅である。本書において、非磁性体は磁化されない性質を有する素材を意味する。
【００４１】
図５を参照すれば、第１サスペンション４０の両側面には、磁性体がメッキされたメッキ層４２、４４が備えられている。メッキ層４２、４４の存在により、第１サスペンション４０は、第１永久磁石６０の影響を受け、表面が磁化されて磁気場を形成することができるようになる。メッキ層のための磁性体としては、ニッケルなどのような金属が用いられる。
【００４２】
第１サスペンション４０の外周部は、フレーム１０の内側壁から突出された突出部１１の上面に固定される。第１サスペンション４０の略中央の部分には、ヨーク５０が固定される。
【００４３】
一方、本発明の一実施形態の場合、第１サスペンション４０には、複数の長孔４６が形成されている。長孔４６は、第１サスペンション４０において、フレーム１０に固定された外周部及びヨーク５０が結合された略中央の部分を除いた残りの部分に、図６に示すような形状で、貫通されて円周方向に延長形成されている。複数の長孔４６に該当する部分の素材を除去することで、第１サスペンション４０の望む程度の弾性を有することになる。よって、長孔の厚さと延長長さ、長孔の相互間の間隔などを調整することになると、第１サスペンションの弾性も望む程度に調節することができる。
【００４４】
前記ヨーク５０は、第１サスペンション４０に固定される。ヨーク５０の内方には、凹んだ受容溝が備える。ヨーク５０は、磁性の素材で構成される。
【００４５】
前記第１永久磁石６０は、ヨーク５０の受容溝に対応されるよう円板形態に形成される。第１永久磁石６０は、ヨーク５０の内部底面に固定される。第１永久磁石６０は、上から下方にＮ極とＳ極が配置された永久磁石である。
【００４６】
前記プレート７０は、第１永久磁石６０とほぼ同様の直径を有し、第１永久磁石６０の上面に固定されている。プレート７０は、磁性の材料で構成される。
【００４７】
第１永久磁石６０及びプレート７０は、ヨーク５０の内側壁と離隔されて固定される。第１永久磁石６０及びプレート７０の外側面とヨーク５０の内側壁の間には、空間が形成され、この空間にはボイスコイル３０の下部が位置することになる。
【００４８】
一方、第１永久磁石６０、プレート７０とヨーク５０は、スピーカー磁気回路を構成する。すなわち、永久磁石６０から発生した磁束はプレート７０を経てヨーク５０に込まれる磁束経路（ｐａｔｈ）を作り出す。
【００４９】
前記第２サスペンション８０は、第１サスペンション４０から下方に離隔されて位置して、第１サスペンション４０と同様にフレーム１０にその一側が固定されて、弾性を有する。
【００５０】
また、第２サスペンション８０は、第１サスペンション４０と同様に板形状であってフレームの形態に対応されるように円板形状である。第２サスペンション８０は、第２磁石９０により少なくとも一側面が磁化される。第２サスペンション８０の厚さは、第１サスペンション４０と同様にしてもよく、異なるようにしてもよい。
【００５１】
本発明の一実施形態の場合、第２サスペンション８０の外周部は、フレーム１０の内側壁から突出された突出部１１の下面に固定される。
【００５２】
第２サスペンション８０は、第１サスペンション４０と対向して平行に離隔されている。第２サスペンション８０は、第１サスペンション４０と同様の形状と材質で構成されている。第２サスペンション８０も非磁性体であり両側面に磁性体のメッキ層８２、８４があり、複数の長孔８６が備えている。
【００５３】
第１、２サスペンション４０、８０各々に形成された長孔４６、８６は、相互同一の位置に同様な形状に形成されている。よって、図６に示すように、第１サスペンション４０と第２サスペンション８０の平面図の模様は、完全に同一である。
【００５４】
前記第２磁石９０は、第２サスペンション８０に固定される。第２磁石９０は、第１サスペンション４０と離隔されて固定される。本発明の一実施形態の場合、ヨーク５０は、第１サスペンション８０の上面に固定されているため、第２磁石９０が第１サスペンション４０と離隔されれば当然ヨーク５０とも離隔される構成になっている。
【００５５】
本発明の一実施形態の場合、第２磁石９０は、第２サスペンション８０の下面に固定されている。また、第２磁石９０は、上から下方にＳ極とＮ極が配置された永久磁石である。従って、第２磁石９０と、上から下方にＮ極とＳ極で配置されている第１永久磁石６０との間には相互押し出す斥力が働く。一方、第２磁石９０と第２サスペンション８０は、振動子を構成するものである。
【００５６】
以下、上述の構成を有する多機能マイクロスピーカー１の作用と効果を説明する。  
本発明の一実施形態の多機能マイクロスピーカー１は、第２磁石９０と第２サスペンション８０で構成される振動子が、第１永久磁石６０とプレート７０とヨーク５０で構成される磁気回路と相互離隔されているが、磁気回路と振動子は磁気場に相互接続されているため、音響発生のための振動板２０の振動の動きと、第２磁石９０と第２サスペンション８０で構成される振動子の振動の動きの相互干渉が最小化されるという長所がある。
【００５７】
すなわち、従来の多機能マイクロスピーカーの場合、磁気回路を構成する組立体が振動体の役割も同時に果たしていたため、音響発生のための振動板の動きと振動体としての磁気回路を構成する組立体の振動の動きが相反する短所があったが、本発明による一実施形態によれば、磁気回路を構成する部品らとは離隔された振動子を第２磁石と第２サスペンションで構成することで、このような短所を著しく改善したものである。
【００５８】
また、本発明の多機能マイクロスピーカー１の場合、第１サスペンション４０と第２サスペンション８０の表面が磁化されることができるため、各表面で磁気場が発生することになり発生された磁気場が互いに相互作用を行うことになって振動の安定性が保障されるという長所がある。
【００５９】
本発明の一実施形態の場合、第１サスペンション４０と第２サスペンション８０の表面は、各々第１永久磁石と第２磁石によって磁化されるため、極性も相互押し出す方向に磁気力が働く。これによって、第１、２サスペンション４０、８０の間のギャップは、確実に維持されて振動の安定性が確保されることができるという長所がある。
【００６０】
本発明の多機能マイクロスピーカーは、スピーカー磁気回路と振動子を物理的に分離させこれらを磁気場に接続した特長的な構成により、スピーカー磁気回路が最小変位で振動しつつ、同時に振動子が振動するようにする振動源として働き、振動子に磁気場を介して振動力を伝達することができるようになる。すなわち、磁気回路の変位振幅は、最小化して、磁石の振動子の変位振幅を最大化することができるよう構成してスピーカーの音響性能の変化は最小化して、振動子の機能を同時に駆動することができるようにすることである。このような構成により、振幅と制動を効率よく用いることができるという長所がある。また、振動騒音が減少するという長所もあり、単なる構造による製造単価の低下という効果もある。
【００６１】
また、一つのボイスコイルのみで音と振動を充実に再生することができるという長所がある。また、振動板と振動子の駆動干渉と駆動力減少現状を改善することができるという長所がある。
【００６２】
また、振動板２０と振動子の相互干渉が最小化されるため、音響発生のための振動板２０と振動子の特性を変更するかまたは制御することが容易であるという長所がある。
【００６３】
また、振動子を構成する第２サスペンションの弾性度と第２磁石の磁力を調整して共振周波数と振動力を調整することができるという長所がある。
【００６４】
一方、上述の一実施形態では、第１、２サスペンション４０、８０が非磁性体として、金属部材である銅系の金属が用いられたが、本発明はこれに限定されるものではない。すなわち、第１、２サスペンションとして、非磁性体である高分子弾性部材が採用されてもよい。高分子弾性部材が非磁性体として用いられる場合、高分子弾性部材の少なくとも一側面、好ましくは、両側面に磁性体がメッキされたメッキ層を備える。
【００６５】
また、他の実施形態の場合、第１、２サスペンションが磁性体部材として構成されることもできる。すなわち、第１サスペンションは、弾性を有する非磁性体で構成した後、その表面にだけ磁性体コーティングを行って表面が磁化されるようにすることではなく、第１、２サスペンション全体を弾性を有する磁性体として備えて表面が磁化されるようにすることもできる。この場合、表面には、別途の磁性体のコーティングは要らなくなる。
【００６６】
一方、本発明による他の実施形態の場合、第１サスペンションは、上述の一実施形態と同様に両側面が磁性体でメッキされた非磁性体で構成して、第２サスペンションは、メッキ層なしに磁性体で構成することも可能である。
【００６７】
また、表面が磁化された第１サスペンションを構成することにおいて、材質とメッキ層の種類を調節することで、第１サスペンションの表面にて発生する磁気場を望む程度に調節することが可能である。
【００６８】
また、上述した実施形態では、第２磁石９０が第２サスペンション８０の下面に備えられた永久磁石であることを例に挙げたが、本発明はこれに限定されるものではない。すなわち、第２磁石が第２サスペンション８０の上面に固定されてもよい。また、第２磁石が永久磁石ではなく電磁石であってもよい。
【００６９】
上述の一実施形態では、第２磁石９０が上から下方にＳ極とＮ極が配置されていることを例に挙げたが、本発明はこれに限定されるものではない。すなわち、第２磁石は、その極性の方向が上から下方にＮ極とＳ極になるよう配置されてもよく、このような極性の配置を有する電磁石であってもよい。
【００７０】
一方、図７には、本発明による他の実施形態が示している。  
本発明の実施形態の多機能マイクロスピーカーは、上述の一実施形態と比較して、第１サスペンション４０の下面に第３磁石６２をさらに備える点が異なる。本発明の他の実施形態の場合、第３磁石６２は永久磁石であり、上から下方にＮ極とＳ極が配置されている。
【００７１】
本発明の他の実施形態の場合、第３磁石６２を備えることで、第１磁石６０の磁力を補強することができるという長所がある。また、磁気回路を構成する部品らの総重量を増加することによって、振動子の振幅と振動速度を速くすることが可能であるという長所がある。しかし、これを除いた残りの構成は上述の一実施形態と同様であってこれによる作用効果も同様である。
【００７２】
一方、上述の実施形態の場合、第１、２サスペンションの表面に磁化が可能であって、複数の長孔が備えることを例に挙げたが、本発明はこれに限定されるものではない。すなわち、本発明の他の側面による他の実施形態の場合、第１、２サスペンションは表面が磁化されない材質で構成されて、ただ複数の長孔を備えてもよい。
【符号の説明】
【００７３】
１…多機能マイクロスピーカー、１０…フレーム、１１…突出部、１２…上部フレーム、２０…振動板、３０…ボイスコイル、４０…第１サスペンション、５０…ヨーク、６０…第１永久磁石、７０…プレート、８０…第２サスペンション、９０…第２磁石。
【図１】
0005032708.tif 000002
【図２】
0005032708.tif 000003
【図３】
0005032708.tif 000004
【図４】
0005032708.tif 000005
【図５】
0005032708.tif 000006
【図６】
0005032708.tif 000007
【図７】
0005032708.tif 000008